(57)【要約】【課題】本考案は、ＬＥＤストリングライト停電保護構造を提供する。【解決手段】複数のＬＥＤを直列接続してなるストリングライト装置において、単一のＬＥＤライトケース内部にあるプラス極とマイナス極の間、または、ライトケース外部にあるプラス極とマイナス極の間に、ジーナーダイオード（ＺＥＮＥＲ  ＤＩＯＤＥ）を接続してなるものであり、当該構造によって、ＬＥＤライトの使用中に、単一のＬＥＤライトが焼損や故障しても、当該ＬＥＤライトに設けられたジーナーダイオードによって、直ちに定められた電流を流し続けるようになり、ＬＥＤストリングライト全体は、単一または少数のＬＥＤの故障で影響されず、長く正常な状態で点滅、発光することができる。【選択図】図１
0003150713.tif 000002
【実用新案登録請求の範囲】
【請求項１】
複数の単灯単色ＬＥＤ、または単灯多色ＬＥＤを直列接続してなるストリングライトであり、単一のＬＥＤライトケース内部にあるプラス極とマイナス極の間、または、ライトケース外部にあるプラス極とマイナス極の間に、ジーナーダイオード（ＺＥＮＥＲ  ＤＩＯＤＥ）を接続してなるものであり、該シーナーダイオードによって、ＬＥＤライトが故障したとき、直ちに、定められた電流を流し続けるように設けられることを特徴とするＬＥＤストリングライト停電保護構造。
【考案の詳細な説明】
【技術分野】
【０００１】
本考案は、ＬＥＤストリングライト停電保護構造に関わり、特に複数の単色ＬＥＤ、またはカラーチェンジＬＥＤを直列接続してなるストリングライトに適用するものであり、単一のＬＥＤライトケース内部または外部にあるプラス極とマイナス極の間に、ジーナーダイオード（ＺＥＮＥＲ  ＤＩＯＤＥ）を接続してなる保護構造であり、ＬＥＤライトの使用中に、単一のＬＥＤライトが焼損や故障しても、当該ＬＥＤライトに設けられたジーナーダイオードによって、直ちに定められた電流を流し続けるようになり、ＬＥＤストリングライト全体は、長く正常な状態で点滅、発光することができる。
【背景技術】
【０００２】
ＬＥＤライトは、省エネ、熱くならないため、伝統的なランプに代わって、多種多様の光源分野に広く応用されるようになり、ＬＥＤ光源を、様々な制御ユニットや回路を合わせて使用すれば、多様な発光タイプが形成され、多様な用途に対応可能。ストリングライトに応用されるＬＥＤライトは大まかに、単灯単色または単灯多色の二種があり、単灯単色ＬＥＤライトの場合、複数の単色ＬＥＤを直列接続して、組み合わせてなるストリングライトは、整流回路の駆動と制御によって、プログラムによるプリセットされた順序で、各ＬＥＤが交差して点滅することになるが、単灯多色ＬＥＤライトの場合、ライトケース内に複数の色の異なったＬＥＤチップと可変抵抗と点滅制御ＩＣ、複数の単灯多色ＬＥＤを直列接続し、組み合わせてなるストリングライト、そして、同じく整流回路で各ＬＥＤ内の点滅制御ＩＣを駆動し、更に点滅制御ＩＣの出力によって、各ＬＥＤ内のＬＥＤ  チップを制御して、プログラムによるプリセットされた順序で、各ＬＥＤチップが交替して点滅効果を出すことになる。しかし、従来のよく見られるＬＥＤストリングライトは、単灯単色ＬＥＤまたは単灯多色ＬＥＤからなる場合にかかわらず、その使用中、単一または少数のＬＥＤライトが故障または焼損した場合、当該ＬＥＤライトが光らず、直列続回路も停電状態となり、ストリングライト全体が光らず、消えてしまうが、その場合、使用者が自己検査や修理を行うことができず、また、製造元に修理を依頼したら、ＬＥＤの全数検査を行ってから（ストリングライトは通常、数十個または数百個のライトからなるもの）、故障したものを見つかることとなり、大変時間がかかり、それを改善する必要がある。
【０００３】
それを鑑みて、本考案の発明者は、関連製品の開発、製造に携わる長年の経験を持っており、積極的に研究、設計、試作、測定などの開発過程を経て、ようやく、本考案の開発に成功した。
【考案の概要】
【考案が解決しようとする課題】
【０００４】
従来のＬＥＤストリングライトは使用中、単一または少数のＬＥＤライトが故障または焼損した場合、ストリングライト全体が光らず、消えてしまう欠点があり、それを改善するのが本考案の課題である。
【課題を解決するための手段】
【０００５】
ジーナーダイオードの電子特性を、単色または多色ＬＥＤライトに生かして、単一のＬＥＤライトが故障した場合、該ＬＥＤ内に設けられたジーナーダイオードによって、直ちに定められた電流を流し続けるようになり、ＬＥＤストリングライト全体は、正常な状態で発光し、そして、直ちに故障したＬＥＤを見つかり、修理や交換が便利になるＬＥＤストリングライト停電保護構造である。
【図面の簡単な説明】
【０００６】
【図１】本考案の単灯単色ＬＥＤライトケース内部のプラス極とマイナス極の間にジーナーダイオードを接続した実施例の灯体外観図。
【図２】本考案の単灯単色ＬＥＤライトケース外部のプラス極とマイナス極の間にジーナーダイオードを接続した実施例の灯体外観図。
【図３】本考案の単灯単色ＬＥＤライトケース内部のプラス極とマイナス極の間にジーナーダイオードを接続した実施例の回路図。
【図４】本考案の単灯単色ＬＥＤライトケース外部のプラス極とマイナス極の間にジーナーダイオードを接続した実施例の回路図。
【図５】本考案の単灯単色ＬＥＤを直列接続してなるストリングライト（ケース内部にジーナーダイオードが設置）の実施例の回路図。
【図６】本考案の単灯単色ＬＥＤを直列接続してなるストリングライト（ケース外部にジーナーダイオードが設置）の実施例の回路図。
【図７】本考案の単灯多色ＬＥＤライトケース内部のプラス極とマイナス極の間にジーナーダイオードを接続した実施例の灯体外観図。
【図８】本考案の単灯多色ＬＥＤライトケース外部のプラス極とマイナス極の間にジーナーダイオードを接続した実施例の灯体外観図。
【図９】本考案の単灯多色ＬＥＤライトケース内部のプラス極とマイナス極の間にジーナーダイオードを接続した実施例の回路図。
【図１０】本考案の単灯多色ＬＥＤライトケース外部のプラス極とマイナス極の間にジーナーダイオードを接続した実施例の回路図。
【図１１】本考案の単灯多色ＬＥＤを直列接続してなるストリングライト（ケース内部にジーナーダイオードが設置）の実施例の回路図。
【図１２】本考案の単灯多色ＬＥＤを直列接続してなるストリングライト（ケース外部にジーナーダイオードが設置）の実施例の回路図。
【考案を実施するための形態】
【０００７】
本考案の構造や効果は、次のように図面を参照しながら、好適な実施例を詳しく説明する。
【０００８】
図１〜図６に示すのは、単灯単色ＬＥＤ１０の実施例であり、ケース１１内部にプラス極ピン１２とマイナス極ピン１３が設けられ、プラス極ピン１２の端部にはＬＥＤチップ１４があり、複数の単灯単色ＬＥＤ１０を直列接続してなるＬＥＤストリングライトであり、ストリングライトの回路にある整流回路１５は、直流低電圧と制御プログラムを出力し、ストリングライトの各単灯単色ＬＥＤ１０を駆動して、プログラムによるプリセットされた順序で、各ＬＥＤが交差して点滅することになるが、本考案の特徴として、各単灯単色ＬＥＤ１０のプラス極ピン１２とマイナス極ピン１３の間に、ジーナーダイオード３０を接続しており、該ジーナーダイオード３０は、ケース１１内部にあるプラス極ピン１２、マイナス極ピン１３の間、または、ケース１１外部にあるプラス極ピン１２、マイナス極１３の間に設けられており、ストリングライトの単一の単灯単色ＬＥＤ１０が故障して、消灯した場合、該単灯単色ＬＥＤ１０のプラス極ピン１２、マイナス極ピン１３間のジーナーダイオード３０によって、直ちに定められた電流を流し続けるようになり、従来のストリングライト全体が光らず、消えてしまうことがなく、ＬＥＤストリングライト全体は、正常な状態で点滅、発光し、そして、肉眼で故障した単灯単色ＬＥＤ１０を直接に見つかり、その修理や交換を行うことができる。
【０００９】
図７〜図１２に示すのは、単灯多色ＬＥＤ２０の実施例であり、ケース２１内部にプラス極ピン２２とマイナス極ピン２３が設けられ、該プラス極（またはマイナス極でもよい）ピン２２の端部にはＬＥＤチップ４０があり、マイナス極（またはプラス極でもよい）ピン２３の端部には、色の異なった複数のＬＥＤチップ２４があり、制御ＩＣ  ４０は導線４１で、各ＬＥＤチップ２４を接続、制御するようにし、複数の単灯単色ＬＥＤ２０を直列接続してなるＬＥＤストリングライトであり、ストリングライトの回路にある整流回路２５が直流低電圧を出力し、各単灯多色ＬＥＤ２０内の制御ＩＣ４０を駆動して、更に、制御ＩＣ４０の出力により各ＬＥＤ  チップ４０を制御して、プログラムによるプリセットされた順序で、各ＬＥＤが交差して点滅することになるが、本考案の特徴として、各単灯多色ＬＥＤ２０のプラス極ピン２２とマイナス極ピン２３の間に、ジーナーダイオード５０を接続しており、該ジーナーダイオード５０は、ケース２１内部にあるプラス極ピン２２、マイナス極ピン２３の間、または、ケース２１外部にあるプラス極ピン２２、マイナス極２３の間に設けられており、ストリングライトの単一の単灯単色ＬＥＤ２０が故障して、消灯した場合、該単灯単色ＬＥＤ２０のプラス極ピン２２、マイナス極ピン２３間のジーナーダイオード５０によって、直ちに定められた電流を流し続けるようになり、ＬＥＤストリングライト全体は消えず、正常な状態で点滅、発光し、そして、肉眼で故障した単灯多色ＬＥＤ２０を直接に見つかり、その修理や交換を行うことができる。
【００１０】
上述の内容をまとめれば、本考案のジーナーダイオード（ＺＥＮＥＲ  ＤＩＯＤＥ）の電子特性を、単色または多色ＬＥＤライトのプラス極、マイナス極の間に生かして、ＬＥＤライトが故障した場合、該ＬＥＤ内に設けられたジーナーダイオードによって、直ちに定められた電流を流し続けるようになり、ＬＥＤストリングライト全体は、長く有効に使用でき、そして、直ちに故障したＬＥＤを見つかり、修理や交換が便利になる構造であり、本考案は従来のＬＥＤストリングライトに比べて、進歩性、改良性があり、実質的な使用効果が向上する。
【符号の説明】
【００１１】
１０  単灯単色ＬＥＤ
１１  ケース
１２  プラス極ピン
１３  マイナス極ピン
１４  ＬＥＤチップ
１５  整流回路
２０  単灯多色ＬＥＤ
２１  ケース
２２  プラス極ピン
２３  マイナス極ピン
２４    ＬＥＤチップ
２５  整流回路
３０  ジーナーダイオード
４０  制御ＩＣ
４１  導線
５０  ジーナーダイオード
【図１】
0003150713.tif 000003
【図２】
0003150713.tif 000004
【図３】
0003150713.tif 000005
【図４】
0003150713.tif 000006
【図５】
0003150713.tif 000007
【図６】
0003150713.tif 000008
【図７】
0003150713.tif 000009
【図８】
0003150713.tif 000010
【図９】
0003150713.tif 000011
【図１０】
0003150713.tif 000012
【図１１】
0003150713.tif 000013
【図１２】
0003150713.tif 000014